(57)【特許請求の範囲】
【請求項１】
装置本体と、映像処理機能部を具備する映像処理部と、表示部とを有し、前記映像処理機能部と前記装置本体とが汎用バスを介して接続されるとともに、前記映像処理部および前記表示部を独立に駆動可能に構成された情報処理装置において、
前記映像処理機能部は、
ＴＶ映像を受信するＴＶチューナと、
ＴＶ映像の映像データの暗号化・復号化を行う暗号化・復号化処理部と、
ＴＶ映像の録画時に、前記ＴＶチューナにて受信されたＴＶ映像の映像データを前記暗号化・復号化処理部に暗号化させた上で前記汎用バスを介して前記装置本体に出力し、ＴＶ映像の再生時に、前記装置本体から前記汎用バスを介して入力された暗号化されたＴＶ映像の映像データを前記暗号化・復号化処理部に復号化させた上で前記映像処理機能部から出力するメインコントローラとを有し、
前記装置本体は、
記憶部と、
ＴＶ映像の録画時に、前記映像処理部から前記汎用バスを介して入力された暗号化されたＴＶ映像の映像データを前記記憶部に保存し、ＴＶ映像の再生時に、前記記憶装置に保存された暗号化されたＴＶ映像の映像データを前記汎用バスを介して前記映像処理部に出力する制御部とを有し、
前記表示部は、ＴＶ映像の再生時に、前記映像処理機能部から出力されたＴＶ映像の映像データを表示し、
前記映像処理部は、前記汎用バスに接続され、ＬＡＮへのアクセス制御を行うＬＡＮコントローラをさらに有し、
前記映像処理機能部の前記メインコントローラは、データ放送を受信する際に、前記装置本体の電源がオフの場合、前記汎用バスを介して前記ＬＡＮコントローラを制御して、前記ＬＡＮを介してデータを送受信し、前記装置本体の電源がオンの場合、前記ＬＡＮコントローラの制御を中止する、情報処理装置。
【請求項２】
前記メインコントローラは、ＴＶ映像の録画時に、前記ＴＶチューナにて受信されたＴＶ映像の映像データを前記映像処理機能部から出力し、
前記表示部は、ＴＶ映像の録画時に、前記映像処理機能部から出力されたＴＶ映像の映像データを表示する、請求項１に記載の情報処理装置。
【請求項３】
前記メインコントローラは、ＴＶ映像の視聴時に、前記ＴＶチューナにて受信されたＴＶ映像の映像データを前記映像処理機能部から出力し、
前記表示部は、ＴＶ映像の視聴時に、前記映像処理機能部から出力されたＴＶ映像の映像データを表示する、請求項１または２に記載の情報処理装置。
【請求項４】
前記映像処理部は、前記装置本体から所定の映像が出力された場合、該所定の映像に前記映像処理機能部から出力されたＴＶ映像の映像データを合成して前記表示部に出力する合成部をさらに有し、
前記表示部は、前記映像処理機能部から出力されたＴＶ映像の映像データを、前記装置本体から出力された前記所定の映像に合成された状態で表示する、請求項１から３のいずれか１項に記載の情報処理装置。
【請求項５】
前記装置本体の前記制御部は、クロマキーカラー部を含む映像を前記所定の映像として前記合成部に出力し、
前記合成部は、前記装置本体から出力された映像に含まれるクロマキーカラー部に、前記映像処理機能部から出力されたＴＶ映像の映像データをクロマキー合成する、請求項４に記載の情報処理装置。
【請求項６】
前記装置本体の前記制御部は、前記クロマキーカラー部を含む映像を前記合成部に出力する場合、該クロマキーカラー部の座標位置を予め前記合成部に通知する、請求項５に記載の情報処理装置。
【請求項７】
前記合成部は、前記装置本体から映像が出力されない場合、前記映像処理機能部から出力されたＴＶ映像の映像データを全画面として前記表示部に出力し、
前記表示部は、前記映像処理機能部から出力されたＴＶ映像の映像データを全画面表示する、請求項４から６のいずれか１項に記載の情報処理装置。
【請求項８】
前記映像処理部は、
前記汎用バス上に設けられた分離バッファと、
前記分離バッファよりも前記装置本体側の汎用バスの通電状態を監視する電源監視部とをさらに有し、
前記映像処理機能部の前記メインコントローラは、前記電源監視部の監視結果に基づいて前記装置本体の電源がオンまたはオフのいずれであるかを判断する、請求項１から７のいずれか１項に記載の情報処理装置。
【請求項９】
前記装置本体の前記制御部は、データ放送を受信する際に、前記装置本体の電源がオンの場合、前記汎用バスを介して前記ＬＡＮコントローラを制御して、前記ＬＡＮを介してデータを送受信する、請求項１から８のいずれか１項に記載の情報処理装置。
【請求項１０】
前記汎用バスがＰＣＩである、請求項１から９のいずれか１項に記載の情報処理装置。
【請求項１１】
前記汎用バスがＰＣＩ  Ｅｘｐｒｅｓｓである、請求項１から９のいずれか１項に記載の情報処理装置。
【請求項１２】
装置本体と、映像処理機能部を具備する映像処理部と、表示部とを有し、前記映像処理機能部と前記装置本体とが汎用バスを介して接続されるとともに、前記映像処理部および前記表示部を独立に駆動可能に構成された情報処理装置におけるＴＶ映像の処理方法であって、
前記映像処理機能部が、ＴＶ映像の録画時に、ＴＶチューナにて受信されたＴＶ映像の映像データを暗号化・復号化処理部に暗号化させた上で前記汎用バスを介して前記装置本体に出力するステップと、
前記装置本体が、ＴＶ映像の録画時に、前記映像処理部から前記汎用バスを介して入力された暗号化されたＴＶ映像の映像データを記憶部に保存するステップと、
前記装置本体が、ＴＶ映像の再生時に、前記記憶装置に保存された暗号化されたＴＶ映像の映像データを前記汎用バスを介して前記映像処理部に出力するステップと、
前記映像処理機能部が、ＴＶ映像の再生時に、前記装置本体から前記汎用バスを介して入力された暗号化されたＴＶ映像の映像データを前記暗号化・復号化処理部に復号化させた上で前記映像処理機能部から出力するステップと、
前記表示部が、ＴＶ映像の再生時に、前記映像処理機能部から出力されたＴＶ映像の映像データを表示するステップと、
前記映像処理機能部が、データ放送を受信する際に、前記装置本体の電源がオフの場合、前記汎用バスを介してＬＡＮへのアクセス制御を行うＬＡＮコントローラを制御して、前記ＬＡＮを介してデータを送受信し、前記装置本体の電源がオンの場合、前記ＬＡＮコントローラの制御を中止するステップと、を有する方法。
【請求項１３】
前記映像処理機能部が、ＴＶ映像の録画時に、前記ＴＶチューナにて受信されたＴＶ映像の映像データを前記映像処理機能部から出力するステップと、
前記表示部が、ＴＶ映像の録画時に、前記映像処理機能部から出力されたＴＶ映像の映像データを表示するステップとをさらに有する、請求項１２に記載の方法。
【請求項１４】
前記映像処理機能部が、ＴＶ映像の視聴時に、前記ＴＶチューナにて受信されたＴＶ映像の映像データを前記映像処理機能部から出力するステップと、
前記表示部は、ＴＶ映像の視聴時に、前記映像処理機能部から出力されたＴＶ映像の映像データを表示するステップとをさらに有する、請求項１２または１３に記載の方法。
【請求項１５】
前記装置本体が、所定の映像を出力するステップと、
前記映像処理部の合成部が、前記装置本体から出力された前記所定の映像に、前記映像処理機能部から出力されたＴＶ映像の映像データを合成して前記表示部に出力するステップとをさらに有し、
前記表示部がＴＶ映像の映像データを表示するステップでは、前記映像処理機能部から出力されたＴＶ映像の映像データを、前記装置本体から出力された前記所定の映像に合成された状態で表示する、請求項１２から１４のいずれか１項に記載の方法。
【請求項１６】
前記装置本体が所定の映像を出力するステップでは、前記所定の映像としてクロマキーカラー部を含む映像を前記合成部に出力し、
前記合成部がＴＶ映像の映像データを合成するステップでは、前記装置本体から出力された映像に含まれるクロマキーカラー部に、前記映像処理機能部から出力されたＴＶ映像の映像データをクロマキー合成する、請求項１５に記載の方法。
【請求項１７】
前記装置本体が、前記クロマキーカラー部を含む映像を前記合成部に出力する場合、該クロマキーカラー部の座標位置を予め前記合成部に通知するステップをさらに有する、請求項１６に記載の方法。
【請求項１８】
前記合成部が、前記装置本体から映像が出力されない場合、前記映像処理機能部から出力されたＴＶ映像の映像データを全画面として前記表示部に出力するステップをさらに有し、
前記表示部がＴＶ映像の映像データを表示するステップでは、前記映像処理機能部から出力されたＴＶ映像の映像データを全画面表示する、請求項１５から１７のいずれか１項に記載の方法。
【請求項１９】
前記映像処理部の電源監視部が、前記汎用バス上に設けられた分離バッファよりも前記装置本体側の汎用バスの通電状態を監視するステップと、
前記映像処理機能部が、前記電源監視部の監視結果に基づいて前記装置本体の電源がオンまたはオフのいずれであるかを判断するステップとをさらに有する、請求項１２から１８のいずれか１項に記載の方法。
【請求項２０】
前記装置本体が、データ放送を受信する際に、前記装置本体の電源がオンの場合、前記汎用バスを介して前記ＬＡＮコントローラを制御して、前記ＬＡＮを介してデータを送受信するステップをさらに有する、請求項１２から１９のいずれか１項に記載の方法。
【発明の詳細な説明】
【技術分野】
【０００１】
本発明は、ＴＶ映像を受信する情報処理装置、および情報処理装置におけるＴＶ映像の処理方法に関する。なお、本発明は、情報処理装置におけるＴＶ映像の映像データの処理に特徴があり、ＴＶ映像の音声データについては録画時には圧縮してＨＤＤに保存し、再生時には伸長してスピーカから出力するといった一般的な処理が行われる。そのため、本明細書では、音声データの処理に関する説明を省略する。
【背景技術】
【０００２】
近年、ＴＶ映像を受信可能なパーソナルコンピュータなどの情報処理装置として、装置本体の電源の状態に関わらず、ＴＶ映像を表示するものがある。この種の情報処理装置では、装置本体とは分離して映像処理機能部および表示部を設け、映像処理機能部および表示部を独立に駆動可能な構成としている。その一例を図１０に示す。
【０００３】
図１０は、従来の情報処理装置の一構成例を示すブロック図である。
【０００４】
図１０を参照すると、本従来例の情報処理装置は、映像処理機能部４１、装置本体４２、切替部４３、および表示部４４を有している。なお、この情報処理装置は、映像処理機能部４１、切替部４３、および表示部４４を独立に駆動可能な構成となっている。装置本体４２は、ＣＰＵ４２１、メインメモリ４２２、ＨＤＤ（Hard Disk Drive）４２３、グラフィックコントローラ（ＧＣ：Graphic Controller）４２４、およびチップセット４２５を有している。
【０００５】
映像処理機能部４１は、ユーザに選択されたチャンネルのＴＶ映像をＴＶチューナにより受信し、装置本体４２または切替部４３に出力する。
【０００６】
装置本体４２のＣＰＵ４２１は、録画時には、映像処理機能部４１から出力されたＴＶ映像の映像データをＨＤＤ４２３へ保存し、再生時には、ＨＤＤ４２３に保存されたＴＶ映像の映像データを読み出し、グラフィックコントローラ４２４から切替部４３へ出力する。
【０００７】
切替部４３は、映像処理機能部４１から出力されたＴＶ映像または装置本体４２から出力されたＴＶ映像を切り替えて出力し、表示部４４は、切替部４３から出力されたＴＶ映像を表示する。
【０００８】
上記のように構成された情報処理装置においては、装置本体４２の電源がオフの場合、映像処理機能部４１は、ユーザに選択されたチャンネルのＴＶ映像を切替部４３に出力する。この場合、切替部４３は、映像処理機能部４１から出力されたＴＶ映像を表示部４４へ出力するように切り替えを行う。
【０００９】
一方、装置本体４２の電源がオンの場合、ＴＶ映像の録画時には、映像処理機能部４１は、ユーザに選択されたチャンネルのＴＶ映像をＰＣＩバスを介して装置本体４２に出力し、装置本体４２のＣＰＵ４２１は、映像処理機能部４１からのＴＶ映像の映像データをＨＤＤ４２３に保存する。また、ＴＶ映像の再生時には、装置本体４２のＣＰＵ４２１は、ＨＤＤ４２３に保存されたＴＶ映像の映像データを読み出し、グラフィックコントローラ４２４から切替部４３へ出力する。この場合、切替部４３は、グラフィックコントローラ４２４から出力されたＴＶ映像を表示部４４へ出力するように切り替えを行う。
【００１０】
ところで、今後は、ＴＶ放送のアナログ放送からデジタル放送への移行に伴い、著作権保護を必要とする映像データを扱うケースが増えると予想される。しかし、図１０に示した情報処理装置においては、上記のＰＣＩバスに標準の暗号化を行う暗号化処理部が備えられておらず、映像データを暗号化せずにそのまま汎用バスであるＰＣＩバスに流す構成であるため、著作権保護を必要とする映像データを扱うことができない。
【００１１】
そこで、ＨＤＤに保存する映像データを暗号化した状態でＨＤＤに入出力する技術が一部で開示されている（特許文献１参照）。ただし、ＨＤＤに保存した映像データを再生する場合、映像データの再生経路であるＨＤＤからグラフィックコントローラまでの経路に、復号化処理部を設ける必要がある。その場合、映像データの出力端であるグラフィックコントローラに復号化処理部を設けるのが妥当であるが、そのためには専用のグラフィックコントローラを開発する必要がある。そのため、ＣＰＵ内に復号化処理部となるソフトウェアを実装することも考えられる。その一例を図１１に示す。
【００１２】
図１１は、従来の情報処理装置の他の構成例を示すブロック図である。
【００１３】
図１１を参照すると、本従来例の情報処理装置は、映像処理機能部５１、装置本体５２、切替部５３、および表示部５４を有している。なお、この情報処理装置は、映像処理機能部５１、切替部５３、および表示部５４を独立に駆動可能な構成となっている。映像処理機能部５１は、暗号化処理部５１１を有し、また、装置本体５２は、ＣＰＵ５２１、メインメモリ５２２、ＨＤＤ５２３、グラフィックコントローラ５２４、およびチップセット５２５を有している。また、ＣＰＵ５２１内には、復号化処理部５２６となるソフトウェアが実装されている。
【００１４】
上記のように構成された情報処理装置においては、装置本体５２の電源がオンの場合、ＴＶ映像の録画時には、映像処理機能部５１は、ユーザに選択されたチャンネルのＴＶ映像をＴＶチューナにより受信し、そのＴＶ映像の映像データを暗号化処理部５２１にて暗号化した後、ＰＣＩバスを介して装置本体５２に出力し、装置本体５２のＣＰＵ５２１は、映像処理機能部５１からの暗号化されたＴＶ映像の映像データをＨＤＤ５２３に保存する。また、ＴＶ映像の再生時には、装置本体５２のＣＰＵ５２１は、ＨＤＤ５２３に保存された暗号化されたＴＶ映像の映像データを読み出し、復号化処理部５２６にて復号化した後、グラフィックコントローラ５２４から切替部５３を介して表示部５４に出力する。なお、装置本体５２の電源がオフの場合は、図１０の場合と同様に、映像処理機能部５１から出力されたＴＶ映像が切替部５３を介して表示部５４に出力される。
【００１５】
すなわち、ＴＶ映像の録画時には、映像処理機能部５１にてＴＶ映像の映像データを暗号化してから汎用バスであるＰＣＩバスに流し、また、ＴＶ映像の再生時には、暗号化されたＴＶ映像の映像データをＣＰＵ５２１で復号化してから表示部５４へ出力している。このため、グラフィックコントローラ５２４を専用のグラフィックコントローラとしなくても、著作権保護を必要とする映像データを扱うことができる。
【特許文献１】特開２００３−１９８５２７号公報
【発明の開示】
【発明が解決しようとする課題】
【００１６】
しかしながら、図１１に示した従来の情報処理装置においては、ＣＰＵのソフトウェアで復号化処理を行うため、ＣＰＵ上で行われている他の処理が圧迫されることになり、ＣＰＵの負荷が増大してしまうという課題がある。
【００１７】
そこで、本発明の目的は、装置本体の電源の状態によらずにＴＶ映像を表示する情報処理装置において、ＣＰＵの負荷を増大させることなく、著作権保護を必要とする映像データを扱うことができる情報処理装置、および情報処理装置におけるＴＶ映像の処理方法を提供することにある。
【課題を解決するための手段】
【００１８】
上記目的を達成するために本発明の情報処理装置は、
装置本体と、映像処理機能部を具備する映像処理部と、表示部とを有し、前記映像処理機能部と前記装置本体とが汎用バスを介して接続されるとともに、前記映像処理部および前記表示部を独立に駆動可能に構成された情報処理装置において、
前記映像処理機能部は、
ＴＶ映像を受信するＴＶチューナと、
ＴＶ映像の映像データの暗号化・復号化を行う暗号化・復号化処理部と、
ＴＶ映像の録画時に、前記ＴＶチューナにて受信されたＴＶ映像の映像データを前記暗号化・復号化処理部に暗号化させた上で前記汎用バスを介して前記装置本体に出力し、ＴＶ映像の再生時に、前記装置本体から前記汎用バスを介して入力された暗号化されたＴＶ映像の映像データを前記暗号化・復号化処理部に復号化させた上で前記映像処理機能部から出力するメインコントローラとを有し、
前記装置本体は、
記憶部と、
ＴＶ映像の録画時に、前記映像処理部から前記汎用バスを介して入力された暗号化されたＴＶ映像の映像データを前記記憶部に保存し、ＴＶ映像の再生時に、前記記憶装置に保存された暗号化されたＴＶ映像の映像データを前記汎用バスを介して前記映像処理部に出力する制御部とを有し、
前記表示部は、ＴＶ映像の再生時に、前記映像処理機能部から出力されたＴＶ映像の映像データを表示することを特徴とする。
【００１９】
この構成によれば、映像処理機能部に暗号化・復号化処理部を設けているため、装置本体内のＣＰＵ（制御部）上のソフトウェアで復号化を行う場合と比較して、ＣＰＵ上で行われている他の処理を圧迫し、ＣＰＵの負荷が増大することを抑制することができる。
【００２０】
また、ハードウェアである暗号化・復号化処理部により復号化を行うため、ＣＰＵ上のソフトウェアで復号化を行う場合と比較して、暗号化スキームの解析が困難となり、セキュリティ性も向上する。
【００２１】
また、ＴＶ映像の録画／再生時に、映像処理機能部と装置本体との間で汎用バスを介して映像データをやり取りする場合も、その映像データは暗号化されたものであるため、著作権保護が必要な映像データも扱うことができる。
【００２２】
また、前記メインコントローラは、ＴＶ映像の録画時に、前記ＴＶチューナにて受信されたＴＶ映像の映像データを前記映像処理機能部から出力し、
前記表示部は、ＴＶ映像の録画時に、前記映像処理機能部から出力されたＴＶ映像の映像データを表示することとしても良い。
【００２３】
また、前記メインコントローラは、ＴＶ映像の視聴時に、前記ＴＶチューナにて受信されたＴＶ映像の映像データを前記映像処理機能部から出力し、
前記表示部は、ＴＶ映像の視聴時に、前記映像処理機能部から出力されたＴＶ映像の映像データを表示することとしても良い。
【００２４】
また、前記映像処理部は、前記装置本体から所定の映像が出力された場合、該所定の映像に前記映像処理機能部から出力されたＴＶ映像の映像データを合成して前記表示部に出力する合成部をさらに有し、
前記表示部は、前記映像処理機能部から出力されたＴＶ映像の映像データを、前記装置本体から出力された前記所定の映像に合成された状態で表示することとしても良い。
【００２５】
また、前記装置本体の前記制御部は、クロマキーカラー部を含む映像を前記所定の映像として前記合成部に出力し、
前記合成部は、前記装置本体から出力された映像に含まれるクロマキーカラー部に、前記映像処理機能部から出力されたＴＶ映像の映像データをクロマキー合成することとしても良い。
【００２６】
また、前記装置本体の前記制御部は、前記クロマキーカラー部を含む映像を前記合成部に出力する場合、該クロマキーカラー部の座標位置を予め前記合成部に通知することとしても良い。
【００２７】
この構成によれば、合成部が、装置本体から出力される映像に含まれるクロマキーカラー部に、映像処理機能部から出力されたＴＶ映像を合成するクロマキー合成を行うため、マウスカーソルや別のウインドウが重ねられた場合にも、これらマウスカーソル等は合成されたＴＶ映像上に表示される。そのため、ユーザは、従来のグラフィックコントローラから出力された映像を視聴するのと同じような感覚で、ＴＶ映像を視聴することができる。
【００２８】
また、前記合成部は、前記装置本体から映像が出力されない場合、前記映像処理機能部から出力されたＴＶ映像の映像データを全画面として前記表示部に出力し、
前記表示部は、前記映像処理機能部から出力されたＴＶ映像の映像データを全画面表示することとしても良い。
【００２９】
この構成によれば、映像処理部および表示部を独立に駆動可能な構成となっており、また、合成部が、装置本体から映像が出力されていなければ、映像処理機能部から出力されたＴＶ映像を表示部へ出力するため、装置本体の電源の状態に関わらず、ＴＶ映像を表示部に表示することができる。
【００３０】
また、前記映像処理部は、前記汎用バスに接続され、ＬＡＮへのアクセス制御を行うＬＡＮコントローラをさらに有し、
前記映像処理機能部の前記メインコントローラは、データ放送を受信する際に、前記装置本体の電源がオフの場合、前記汎用バスを介して前記ＬＡＮコントローラを制御して前記ＬＡＮを介してデータを送受信し、前記装置本体の電源がオンの場合、前記ＬＡＮコントローラの制御を中止することとしても良い。
【００３１】
また、前記映像処理部は、
前記汎用バス上に設けられた分離バッファと、
前記分離バッファよりも前記装置本体側の汎用バスの通電状態を監視する電源監視部とをさらに有し、
前記映像処理機能部の前記メインコントローラは、前記電源監視部の監視結果に基づいて前記装置本体の電源がオンまたはオフのいずれであるかを判断することとしても良い。
【００３２】
また、前記装置本体の前記制御部は、データ放送を受信する際に、前記装置本体の電源がオンの場合、前記汎用バスを介して前記ＬＡＮコントローラを制御して前記ＬＡＮを介してデータを送受信することとしても良い。
【００３３】
この構成によれば、装置本体の電源オン時の制御部と、装置本体の電源オフ時のメインコントローラとでＬＡＮコントローラを共有しているため、装置本体および映像処理部の双方にＬＡＮコントローラを二重に設ける必要がない。
【発明の効果】
【００３４】
以上説明したように本発明によれば、映像処理部に暗号化・復号化処理部を設け、ＴＶ映像の録画時には、ＴＶ映像の映像データを映像処理部側で暗号化してから装置本体の記憶部に保存し、ＴＶ映像の再生時には、装置本体の記憶部から読み出された暗号化された映像データを映像処理部側で復号化して表示部に表示する構成であるため、装置本体内のＣＰＵ（制御部）のソフトウェアで復号化を行う場合と比較して、ＣＰＵ上で行われている他の処理を圧迫し、ＣＰＵの負荷が増大することを抑制することができる。
【発明を実施するための最良の形態】
【００３５】
以下に、本発明を実施するための最良の形態について図面を参照して説明する。
【００３６】
図１は、本実施形態の情報処理装置の基本構成を示すブロック図である。
【００３７】
図１を参照すると、本実施形態の情報処理装置は、映像処理部１０、装置本体２０、および表示部３０を有している。なお、この情報処理装置は、映像処理部１０と装置本体２０とが汎用バスを介して接続されており、また、映像処理部１０および表示部３０を独立に駆動可能な構成となっている。映像処理部１０および表示部３０を独立に駆動する技術としては、任意の公知技術が使用でき、本発明の本質的部分でもないため、詳細な説明は省略する。映像処理部１０は、映像処理機能部１１および合成部１２を有し、また、装置本体２０は、制御部であるＣＰＵ２１、メインメモリ２２、記憶部であるＨＤＤ２３、グラフィックコントローラ２４、およびチップセット２５を有している。なお、図１では、汎用バスをＰＣＩとしているが、ＰＣＩ  Ｅｘｐｒｅｓｓとしても良い。
【００３８】
映像処理機能部１１は、ユーザに選択されたチャンネルのＴＶ映像の映像データの暗号化を行うとともに、装置本体２０から出力されたＴＶ映像の映像データの復号化を行う暗号化・復号化処理部１１１を具備する。
【００３９】
合成部１２は、映像処理機能部１１から出力された映像もしくは装置本体２０から出力された映像を全画面として表示部３０に出力するか、または装置本体２０から出力された映像に映像処理機能部１１から出力されたＴＶ映像を合成して表示部３０に出力する。
【００４０】
図２を参照すると、合成部１２にて映像合成を行う際には、装置本体２０のグラフィックコントローラ２４からは、映像処理機能部１１から出力されたＴＶ映像を合成する部分となるクロマキーカラー部を含む映像が出力される。そこで、合成部１２は、グラフィックコントローラ２４から出力された映像に含まれるクロマキーカラー部に、映像処理機能部１１から出力されたＴＶ映像を合成するクロマキー合成を行う。
【００４１】
以下、本実施形態の情報処理装置の動作について説明する。
【００４２】
装置本体２０の電源がオフの場合、映像処理機能部１１は、ユーザに選択されたチャンネルのＴＶ映像の映像データを合成部１２に出力する。また、装置本体２０は、電源がオフであるため、何らの映像も出力されない。よって、合成部１２は、映像処理機能部１１から出力されたＴＶ映像を全画面として表示部３０に出力する。
【００４３】
一方、装置本体２０の電源がオンの場合、ＴＶ映像の視聴時には、映像処理機能部１１は、ユーザに選択されたチャンネルのＴＶ映像の映像データを合成部１２に出力する。また、ＴＶ映像の録画時には、映像処理機能部１１は、ユーザに選択されたチャンネルのＴＶ映像の映像データを暗号化・復号化処理部１１にて暗号化した上でＰＣＩバスを介して装置本体２０に出力し、装置本体２０のＣＰＵ２１は、映像処理機能部１１からの暗号化された映像データをＨＤＤ２３に保存する。また、ＴＶ映像の再生時には、装置本体２０のＣＰＵ２１は、ＨＤＤ２３に保存されている暗号化されたＴＶ映像の映像データをＰＣＩバスを介して映像処理機能部１１に出力し、映像処理機能部１１は、装置本体２０からの暗号化された映像データを暗号化・復号化処理部１１にて復号化した上で合成部１２に出力する。
【００４４】
合成部１２は、装置本体２０から出力された映像のクロマキーカラー部に、映像処理機能部１１から出力されたＴＶ映像を合成して表示部３０に出力する。ただし、装置本体２０のＣＰＵ２１によって設定されたモードによっては、映像処理機能部１１から出力された映像もしくは装置本体２０から出力されたＴＶ映像を全画面として表示部３０に出力する。
【実施例】
【００４５】
以下、図１に示した情報処理装置について、実施例を挙げてさらに詳細に説明する。
【００４６】
図３は、本発明の実施例の情報処理装置の構成を示すブロック図である。また、図４は、図３に示す映像処理部１０の構成を示すブロック図である。
【００４７】
図３および図４を参照すると、本実施例の情報処理装置は、図１に示した映像処理機能部１１および合成部１２に加えて、分離バッファ１３、ＬＡＮ（Local Area Network）コントローラ１４、電源監視部１５、およびリモコン受光部１６を有している。映像処理機能部１１は、図１に示した暗号化・復号化処理部１１１に加えて、バスインターフェース１１２、ＴＶチューナ１１３、デマルチプレクサ１１４、デコーダ１１５、およびメインコントローラ１１６を有している。また、装置本体２０のＣＰＵ２１内には、アプリケーションソフトウェア（以下、「ＡＰＳＷ」と称する）２１１が実装されている。
【００４８】
分離バッファ１３は、装置本体２０の電源がオフの場合に、装置本体２０側のＰＣＩバスと映像処理部１０側のＰＣＩバスとを分離して、映像処理部１０側のＰＣＩバスを使用可能とするために、ＰＣＩバス上に設けられている。
【００４９】
ＬＡＮコントローラ１４は、デジタル放送の双方向通信サービスのために不図示のＬＡＮを介してデータ送受信を行う場合、ＬＡＮへのアクセス制御を行う。なお、ＬＡＮコントローラ１４は、装置本体２０の電源がオンの場合には、装置本体２０のＣＰＵ２１の制御の元でＬＡＮへのアクセス制御を行い、装置本体２０の電源がオフの場合は、映像処理機能部１１のメインコントローラ１１６の制御の元でＬＡＮへのアクセス制御を行う。
【００５０】
電源監視部１５は、分離バッファ１３よりも装置本体２０側のＰＣＩバスの通電状態を監視し、その監視結果をメインコントローラ１１６に通知する。また、その監視結果に基づいて、バッファ制御信号を出力して分離バッファ１３を制御するとともに、ＰＣＩＲＳＴ信号を出力してＬＡＮコントローラ１４をリセットまたはリセット解除する。
【００５１】
リモコン受光部１６は、リモコンから赤外線で送信されてきた操作信号を受光する。
【００５２】
バスインターフェース１１２は、映像処理部１０が装置本体２０との間で送受信する映像データを、ＰＣＩバスのプロトコルに応じたデータに変換する。
【００５３】
ＴＶチューナ１１３は、ユーザに選択されたチャンネルの放送波からＴＳ（Transport Stream）を取り出し、デマルチプレクサ１１４は、ＴＶチューナ１１４により取り出されたＴＳから所望のＴＳを取り出す。
【００５４】
暗号化・復号化処理部１１１は、ＴＶ映像の録画時に、デマルチプレクサ１１５により取り出されたＴＶ映像の映像ＴＳを暗号化するとともに、ＴＶ映像の再生時に、装置本体２０から送信されてきた暗号化されたＴＶ映像の映像データを復号化する。
【００５５】
デコーダ１１５は、デマルチプレクサ１１５により取り出された映像ＴＳまたは暗号化・復号化処理部１１１にて復号化された映像ＴＳをデコードして、表示部３０にて表示可能な映像データに変換する。
【００５６】
メインコントローラ１１６は、映像処理部１０内の各構成要素の制御を行う。
【００５７】
以下、本実施例の情報処理装置の動作について説明する。
【００５８】
最初に、映像処理部１０の概略動作について図５を参照して説明する。なお、図５は、リモコンによりリモコン受光部１６に対して操作信号を送信して情報処理装置の操作を行う場合の動作を示している。
【００５９】
図５を参照すると、映像処理部１０の電源がオンすると（ステップ５０１）、電源監視部１５は、装置本体２０側のＰＣＩバスが通電しているかを監視する（ステップ５０２）。
【００６０】
装置本体２０側のＰＣＩバスが通電状態にある場合（ステップ５０２のＹｅｓ）、電源監視部１５は、装置本体２０側のＰＣＩバスが通電状態にあることを示す監視結果をメインコントローラ１１６に通知し、メインコントローラ１１６は、電源監視部１５からの通知を受けて、装置本体２０の電源がオンであると判断し、ＬＡＮコントローラ１４の制御を中止する（ステップ５０３）。この場合、ＬＡＮコントローラ１４の制御は、装置本体２０のＣＰＵ２１内のＡＰＳＷ２１１にて行われる。さらに、電源監視部１５は、バッファ制御信号を介して分離バッファ１３をトランスペアレントとなるように制御する（ステップ５０４）。
【００６１】
装置本体２０側のＰＣＩバスが通電状態にある時に、リモコン受光部１６にて操作信号が受光されると（ステップ５０５のＹｅｓ）、メインコントローラ１１６は、その操作信号をＰＣＩバスを介してＡＰＳＷ２１１に通知し、その操作信号に応じたコマンドをＡＰＳＷ２１１からＰＣＩバスを介して取得する（ステップ５０６）。そして、メインコントローラ１１６は、ＡＰＳＷ２１１からのコマンドに応じて、録画／再生制御、チャンネル切り替え制御、データ放送受信制御などを行う（ステップ５０７）。特に、メインコントローラ１１６は、データ放送受信時に、受信中のデータ放送がクイズに対してユーザが回答するようなデータ放送であり、ＬＡＮを介したデータ送受信が必要であると判断すると、その旨をＰＣＩバスを介してＡＰＳＷ２１１に通知する。この場合、ＡＰＳＷ２１１は、メインコントローラ１１６からの通知を受けて、不図示のＯＳ（Operating System）を介してＬＡＮコントローラ１４を制御し、ＬＡＮを介したデータ送受信を行う。
【００６２】
なお、電源監視部１５は、その後も、装置本体２０側のＰＣＩバスが通電しているかの監視を継続する（ステップ５０８）。
【００６３】
電源がオンした時に装置本体２０側のＰＣＩバスが非通電状態である場合（ステップ５０２のＮｏ）、または、装置本体２０側のＰＣＩバスが通電状態から非通電状態に遷移した場合（ステップ５０８のＮｏ）、電源監視部１５は、バッファ制御信号を介して分離バッファ１３を制御し、映像処理部１０内のＰＣＩバスを装置本体２０内のＰＣＩバスと分離させる（ステップ５０９）。さらに、電源監視部１５は、装置本体２０側のバスが非通電状態にあることを示す監視結果をメインコントローラ１１６に通知するとともに、ＰＣＩＲＳＴ信号をアクティブにしてＬＡＮコントローラ１４をリセットし、その後すぐにＰＣＩＲＳＴ信号をノンアクティブにしてＬＡＮコントローラ１４のリセットを解除し、メインコントローラ１１６は、電源監視部１５からの通知を受けて、装置本体２０の電源がオフであると判断し、ＬＡＮコントローラ１４の制御を開始する（ステップ５１０）。
【００６４】
装置本体２０側のＰＣＩバスが非通電状態にある時に、リモコン受光部１６にて操作信号が受光されると（ステップ５１１のＹｅｓ）、メインコントローラ１１６は、その操作信号に応じて、チャンネル切り替え制御、データ放送受信制御などを行う（ステップ５１２）。特に、メインコントローラ１１６は、データ放送受信時に、ＬＡＮを介したデータ送受信が必要であると判断すると、ＬＡＮコントローラ１４を制御し、ＬＡＮを介したデータ送受信を行う。
【００６５】
なお、電源監視部１５は、その後も、装置本体２０側のＰＣＩバスが通電しているかの監視を継続し（ステップ５１３）、非通電状態から通電状態に遷移した場合は、ステップ５０３の処理に戻る。
【００６６】
次に、本実施例の情報処理装置の全体動作について、図６から図９のフローチャートを参照して説明する。なお、図６から図９は、装置本体２０上の不図示の入力手段（キーボードやマウスなど）によりＡＰＳＷ２１１に操作信号を送り情報処理装置の操作を行う場合の動作を示している。
【００６７】
図６を参照すると、装置本体２０の電源をオンにし、装置本体２０の起動処理を開始する（ステップ６０１）。
【００６８】
また、映像処理部１０の電源をオンにする（ステップ６０２）。すると、映像処理機能部１１のメインコントローラ１１６は、映像処理機能部１１の各構成要素を、ＴＶ映像を視聴する視聴モードに設定する。この場合、例えば、ＴＶチューナ１１３の設定を、前回ＴＶ視聴を終了した時点のチャンネルのＴＳを取り出す設定とし、デマルチプレクサ１１４の設定を、ＴＶチューナ１１３からのＴＳから映像ＴＳを取り出す設定とする。また、デマルチプレクサ１１４からの映像ＴＳがデコーダ１１５にのみ入力され、暗号化・復号化処理部１１１に入力されて内部バス上に送出されないようにするため、暗号化・復号化処理部１１１の機能を停止させる。このとき、合成部１２は、映像処理機能部１１から出力されたＴＶ映像を全画面として出力するＴＶ映像選択モードに初期設定されている。このため、映像処理機能部１１は、前回ＴＶ視聴を終了した時点のチャンネルのＴＶ映像を合成部１２に出力し（ステップ６０３）、合成部１２は、映像処理機能部１１から出力されたＴＶ映像を全画面として表示部３０に出力する（ステップ６０４）。このとき、表示部３０は、ＴＶ映像を全画面で表示し、これにより、ユーザはＴＶ映像の視聴が可能になる。なお、映像処理部１０の電源をオンした時点で、装置本体２０の電源がオンであれば、図５のステップ５０３，５０４の処理が行われるが、その時点で装置本体２０の電源がオフであれば、まず、図５のステップ５０９，５１０の処理が行われ、その後に装置本体２０の電源がオンした時点で、図５のステップ５０３，５０４の処理が行われる。
【００６９】
装置本体２０の起動処理が終了すると（ステップ６０５）、ＣＰＵ２１内のＡＰＳＷ２１１は、合成モードに移行する旨と、クロマキーカラー部の座標位置などのクロマキーカラー情報とを、ＰＣＩバスを介して合成部１２に通知する（ステップ６０６）。
【００７０】
次に、合成部１２は、ＡＰＳＷ２１１からの通知を受けて、合成モードに移行する（ステップ６０７）。
【００７１】
次に、ＡＰＳＷ２１１は、クロマキーカラー部を含むウインドウを配置した映像をグラフィックコントローラ２４から合成部１２に出力する（ステップ６０８）。
【００７２】
次に、合成部１２は、グラフィックコントローラ２４から出力された映像に配置されたウインドウに含まれるクロマキーカラー部に、映像処理機能部１１から出力されたＴＶ映像を合成して表示部３０に出力する（ステップ６０９）。このとき、表示部３０は、グラフィックコントローラ２４から出力された映像のクロマキーカラー部にＴＶ映像が合成された映像を表示する。これにより、ＴＶ映像の表示が、全画面表示からウインドウ表示へと切り替わる。以降、図７の処理へ移行する。
【００７３】
図７を参照すると、ユーザによりＡＰＳＷ２１１に対する操作が行われると（ステップ７０１のＹｅｓ）、その操作内容をＡＰＳＷ２１１で判断する。
【００７４】
ステップ７０１で行われた操作が、チャンネルを切り替えるための操作であれば（ステップ７０２のＹｅｓ）、ＡＰＳＷ２１１は、ＰＣＩバスを介してチャンネルの切り替えを映像処理機能部１１に通知し（ステップ７０３）、映像処理機能部１１のメインコントローラ１１３は、ＴＶチューナ１１３およびデマルチプレクサ１１４を制御し、放送波から取り出すＴＳを切り替えることで、チャンネル切り替え制御を行う（ステップ７０４）。このとき、映像処理機能部１１から合成部１２に対しては、切り替えられたチャンネルのＴＶ映像が出力される。また、合成部１２は合成モードのままであるため、映像処理機能部１１から出力されたＴＶ映像は、グラフィックコントローラ２４から出力された映像のクロマキーカラー部に合成されて表示部３０に表示される。
【００７５】
また、ステップ７０１で行われた操作が、録画または再生を行うための操作であれば（ステップ７０５のＹｅｓ）、図８の処理へ移行し、データ放送を受信するための操作であれば（ステップ７０６のＹｅｓ）、図９の処理へ移行する。
【００７６】
また、ステップ７０１で行われた操作が、ＴＶ視聴を終了するための操作であれば（ステップ７０７のＹｅｓ）、ＡＰＳＷ２１１は、クロマキーカラー部を含むウインドウを閉じ（ステップ７０８）、さらに、装置本体２０のグラフィックコントローラ２４から出力された映像を全画面として出力する本体映像選択モードに移行する旨を、ＰＣＩバスを介して合成部１２に通知する（ステップ７０９）。
【００７７】
次に、合成部１２は、ＡＰＳＷ２１１からの通知を受けて、本体映像選択モードに移行し（ステップ７１０）、グラフィックコントローラ２４から出力された映像を全画面として表示部３０に出力する。
【００７８】
次に、ＡＰＳＷ２１１は、ＴＶ視聴を終了する旨を、ＰＣＩバスを介して映像処理機能部１１に通知する（ステップ７１１）。
【００７９】
その後、映像処理機能部１１のメインコントローラ１１６は、ＡＰＳＷ２１１からの通知を受けて、合成部１２へのＴＶ映像の出力を終了し、終了した時点のチャンネルを示すチャンネル情報を不図示の内部メモリに記録する（ステップ７１２）。
【００８０】
図７のステップ７０１にて録画または再生を行う操作がなされた場合は、図８を参照すると、その操作が録画であれば（ステップ８０１）、ＡＰＳＷ２１１は、録画制御コードを、ＰＣＩバスを介して映像処理機能部１１に通知する（ステップ８０２）。
【００８１】
次に、映像処理機能部１１のメインコントローラ１１６は、ＡＰＳＷ２１１からの通知を受けて、映像処理機能部１１の各構成要素を、ＴＶ映像を録画する録画モードに設定する（ステップ８０３）。この場合、暗号化・復号化処理部１１１の設定を、デマルチプレクサ１１４からの映像ＴＳを暗号化して内部バス上に送出する設定に切り替える。それにより、メインコントローラ１１６は、暗号化・復号化処理部１１１により映像ＴＳを暗号化させて内部バス上に送出させ（ステップ８０４）、バスインターフェース１１２により内部バス上の暗号化された映像データをＰＣＩバスを介して装置本体２０に出力させる（ステップ８０５）。このとき同時に、録画対象のＴＶ映像の映像データをデコーダ１１５でデコードし合成部１２へ出力することも可能である。そのため、録画中に、録画対象のＴＶ映像を、グラフィックコントローラ２４から出力された映像のクロマキーカラー部に合成して表示部３０に表示することも可能である。
【００８２】
次に、ＡＰＳＷ２１１は、映像処理機能部１１から出力された暗号化されたＴＶ映像の映像データをＨＤＤ２３に保存する（ステップ８０６）。
【００８３】
以降、ユーザによりＡＰＳＷ２１１に対して録画を終了するための操作が行われると、ＡＰＳＷ２１１は、録画を終了する旨を、ＰＣＩバスを介して映像処理機能部１１に通知する（ステップ８０７）。
【００８４】
その後、映像処理機能部１１のメインコントローラ１１６は、ＡＰＳＷ２１１からの通知を受けて、映像処理機能部１１の各構成要素を、ＴＶ映像を視聴する視聴モードに設定する（ステップ８０８）。この場合、デマルチプレクサ１１４からの映像ＴＳがデコーダ１１５にのみ入力され、暗号化・復号化処理部１１１に入力されて内部バス上に送出されないようにするため、暗号化・復号化処理部１１１の機能を停止させる。
【００８５】
一方、図７のステップ７０１で行われた操作が再生を行うための操作であれば（ステップ８０１）、ＡＰＳＷ２１１は、再生制御コードを、ＰＣＩバスを介して映像処理機能部１１に通知する（ステップ８０９）。
【００８６】
次に、映像処理機能部１１のメインコントローラ１１６は、ＡＰＳＷ２１１からの通知を受けて、映像処理機能部１１の各構成要素を、ＴＶ映像を再生する再生モードに設定する（ステップ８１０）。この場合、暗号化・復号化処理部１１１の設定を、バスインターフェース１１２からの暗号化されたＴＶ映像の映像データを復号化し、復号化により得られた映像ＴＳをデコーダ１１５に出力する設定に切り替える。また、暗号化・復号化処理部１１１からの映像ＴＳのみがデコーダ１１５に入力されるようにするため、デマルチプレクサ１１４の出力を停止させる。
【００８７】
次に、ＡＰＳＷ２１１は、ＨＤＤ２３に保存されている暗号化された映像データを、ＰＣＩバスを介して映像処理機能部１１に出力する（ステップ８１１）。
【００８８】
次に、映像処理機能部１１のメインコントローラ１１６は、バスインターフェース１１２によりＰＣＩバスから取り込まれた暗号化された映像データを暗号化・復号化処理部１１１に復号化させ（ステップ８１２）、復号化された映像ＴＳをデコーダ１１５にデコードさせ、合成部１２に出力させる（ステップ８１３）。このとき、合成部１２は合成モードのままであるため、映像処理機能部１１から出力されたＴＶ映像は、グラフィックコントローラ２４から出力された映像のクロマキーカラー部に合成されて表示部３０に表示される。
【００８９】
以降、ユーザによりＡＰＳＷ２１１に対して再生を終了するための操作が行われると、ＡＰＳＷ２１１は、再生を終了する旨を、ＰＣＩバスを介して映像処理機能部１１に通知する（ステップ８１４）。
【００９０】
その後、映像処理機能部１１のメインコントローラ１１６は、ＡＰＳＷ２１１からの通知を受けて、映像処理機能部１１の各構成要素を、ＴＶ映像を視聴する視聴モードに設定する（ステップ８１５）。この場合、デマルチプレクサ１１４の設定を、映像ＴＳを出力する設定に切り替える。また、デマルチプレクサ１１４からの映像ＴＳがデコーダ１１５にのみ入力され、暗号化・復号化処理部１１１に入力されて内部バス上に送出されないようにするため、暗号化・復号化処理部１１１の機能を停止させる。
【００９１】
図７のステップ７０１にてデータ放送を受信する操作がなされた場合は、図９を参照すると、まず、ＡＰＳＷ２１１は、データ放送受信制御コードを、ＰＣＩバスを介して映像処理機能部１１に通知する（ステップ９０１）。
【００９２】
次に、映像処理機能部１１のメインコントローラ１１６は、ＡＰＳＷ２１１からの通知を受けて、映像処理機能部１１の各構成要素を、データ放送を受信するデータ放送受信モードに設定し、データ放送を受信する（ステップ９０２）。この場合、デマルチプレクサ１１４の設定を、ＴＶチューナ１１３からのＴＳからデータＴＳを取り出す設定に切り替える。このとき、映像処理機能部１１から合成部１２に対しては、データ放送として受信したデータが出力される。また、合成部１２は合成モードのままであるため、映像処理機能部１１から出力されたデータは、グラフィックコントローラ２４の出力映像のクロマキーカラー部に合成されて表示部３０に表示される。
【００９３】
さらに、メインコントローラ１１６は、デマルチプレクサ１１４にて取り出されたデータＴＳの内容に基づき、ＬＡＮを介したデータ送受信が必要であるかを判断する（ステップ９０３）。例えば、受信中のデータ放送がクイズに対してユーザが回答するようなデータ放送である場合、データ送受信が必要であるため、メインコントローラ１１６は、その旨をＰＣＩバスを介して装置本体２０に通知する（ステップ９０４）。
【００９４】
次に、ＡＰＳＷ２１１は、映像処理機能部１１からの通知を受けて、ＯＳを介してＬＡＮコントローラ１４を制御し、ＬＡＮを介して必要なデータを送受信する（ステップ９０５）。なお、装置本体２０上のその他のＡＰＳＷ、例えば、インターネットのブラウジング処理を行うＡＰＳＷや電子メールの送受信処理を行うＡＰＳＷも、ＬＡＮコントローラ１４を制御し、上記処理を行うことが可能である。
【００９５】
次に、ＡＰＳＷ２１１は、ＬＡＮを介して送受信したデータを、ＰＣＩバスを介して映像処理機能部１１に出力し（ステップ９０６）、映像処理機能部１１のメインコントローラ１１６は、ＡＰＳＷ２１１からのデータを合成部１２に出力して表示部３０に表示させる処理などを行う（ステップ９０７）。
【００９６】
以降、ユーザによりＡＰＳＷ２１１に対してデータ放送の受信を終了するための操作が行われると（ステップ９０８のＹｅｓ）、ＡＰＳＷ２１１は、データ放送の受信を終了する旨を、ＰＣＩバスを介して映像処理機能部１１に通知する（ステップ９０９）。
【００９７】
その後、映像処理機能部１１のメインコントローラ１１６は、ＡＰＳＷ２１１からの通知を受けて、映像処理機能部１１の各構成要素を、ＴＶ映像を視聴する視聴モードに設定する（ステップ９１０）。この場合、デマルチプレクサ１１４の設定を、ＴＶチューナ１１３からのＴＳから映像ＴＳを取り出す設定に切り替える。
【００９８】
上述したように本実施例においては、映像処理機能部１１に暗号化・復号化処理部１１１を設けているため、ＣＰＵ２１上のソフトウェアで復号化を行う場合と比較して、ＣＰＵ２１上で行われている他の処理を圧迫し、ＣＰＵ２１の負荷が増大することを抑制することができる。
【００９９】
また、ハードウェアである暗号化・復号化処理部１１１により復号化を行うため、ＣＰＵ２１上のソフトウェアで復号化を行う場合と比較して、暗号化スキームの解析が困難となり、セキュリティ性も向上する。
【０１００】
また、録画／再生時に、映像処理機能部１１と装置本体２０との間で汎用バスを介して映像データをやり取りする場合も、その映像データは暗号化されたものであるため、著作権保護が必要な映像データも扱うことができる。
【０１０１】
また、映像処理部１０および表示部３０を独立に駆動可能な構成となっており、また、合成部１２は、装置本体２０から映像が出力されていない場合は、映像処理機能部１１から出力されたＴＶ映像を表示部３０へ出力するため、装置本体２０の電源の状態に関わらず、ＴＶ映像を表示部３０に表示することができる。
【０１０２】
また、合成部１２は、装置本体２０から出力される映像に配置されたあるウインドウに含まれるクロマキーカラー部に、映像処理機能部１１から出力されたＴＶ映像を合成するクロマキー合成を行うため、マウスカーソルや別のウインドウが重ねられた場合にも、これらマウスカーソル等は合成されたＴＶ映像上に表示される。そのため、ユーザは、従来のグラフィックコントローラから出力された映像を視聴するのと同じような感覚で、ＴＶ映像を視聴することができる。
【０１０３】
また、ＬＡＮへのアクセス制御を行うＬＡＮコントローラ１４を汎用バスに直接接続し、装置本体２０の電源オン時のＡＰＳＷ２１１と、装置本体２０の電源オフ時のメインコントローラ１１６とでＬＡＮコントローラ１４を共有しているため、装置本体２０および映像処理部１０の双方にＬＡＮコントローラ１４を二重に設ける必要がない。
【０１０４】
なお、本実施例では、映像処理部１０と表示部３０とを別個独立に設けた構成としたが、ＴＶ機能内蔵モニタなどの同一装置内に映像処理部１０と表示部３０とを一体に設けても良い。
【図面の簡単な説明】
【０１０５】
【図１】本発明の一実施形態の情報処理装置の基本構成を示すブロック図である。
【図２】図１に示した合成部によるクロマキー合成を説明する図である。
【図３】本発明の実施例の情報処理装置の構成を示すブロック図である。
【図４】図３に示した映像処理部の詳細な構成を示すブロック図である。
【図５】本発明の実施例における映像処理部の概略動作を説明するフローチャートである。
【図６】本発明の実施例の情報処理装置の全体動作を説明するフローチャートである。
【図７】本発明の実施例の情報処理装置の全体動作を説明するフローチャートである。
【図８】本発明の実施例の情報処理装置の全体動作を説明するフローチャートである。
【図９】本発明の実施例の情報処理装置の全体動作を説明するフローチャートである。
【図１０】従来の情報処理装置の一構成例を示すブロック図である。
【図１１】従来の情報処理装置の他の構成例を示すブロック図である。
【符号の説明】
【０１０６】
１０    映像処理部
１１    映像処理機能部
１２    合成部
１３    分離バッファ
１４    ＬＡＮコントローラ
１５    電源監視部
１６    リモコン受光部
２０    装置本体
２１    ＣＰＵ
２２    メインメモリ
２３    ＨＤＤ
２４    グラフィックコントローラ
２５    チップセット
３０    表示部
１１１    暗号化・復号化処理部
１１２    バスインターフェース
１１３    ＴＶチューナ
１１４    デマルチプレクサ
１１５    デコーダ
１１６    メインコントローラ
【図１】
0004757571.tif 000002
【図２】
0004757571.tif 000003
【図３】
0004757571.tif 000004
【図４】
0004757571.tif 000005
【図５】
0004757571.tif 000006
【図６】
0004757571.tif 000007
【図７】
0004757571.tif 000008
【図８】
0004757571.tif 000009
【図９】
0004757571.tif 000010
【図１０】
0004757571.tif 000011
【図１１】
0004757571.tif 000012